(57)【要約】【課題】複数の表示パネルの引出配線が簡素に接続され、特に３つ以上の表示パネルが積層されている場合でも各表示パネルの電極が１つの配線部材と接続することが可能な積層型表示装置を提供する。【解決手段】積層された各表示パネルが、互いの表示素子１６，２６，３６の間が絶縁状態で離間するように配置されており、最も外側に配置されている２つの表示パネル１０，２０が、互いの素子形成面が対向するとともに、各引出配線１４，２４が、該２つの表示パネルの間に配置されている中間の表示パネルの一端部より突出するように配置されており、それらの間に配置されている配線部材１３の配線回路１７ａ，１７ｂと導電性材料１９ａ，１９ｂを介してそれぞれ接続し、中間の表示パネル３０は、該表示パネルの引出配線の一端部が、該引出配線より突出し、他の表示パネルを介さずに対向する別の表示パネルと接続していることを特徴とする積層型表示装置３１。【選択図】図３
2008108616.tif 000002
【特許請求の範囲】
【請求項１】
２つの表示パネルが積層された積層型表示装置であって、
基板上に、電極を含む表示素子と、該表示素子の電極に接続する引出配線がそれぞれ形成されている２つの表示パネルと、
絶縁基材の両面に配線回路が形成された配線部材とを含み、
前記２つの表示パネルが、互いの表示素子及び引出配線が形成されている面が対向するとともに、互いの表示素子の間が絶縁状態で離間するように配置されており、
前記配線部材が、前記２つの表示パネルの互いの引出配線の間に配置されているとともに、該配線部材の配線回路が、前記各表示パネルの引出配線とそれぞれ導電性材料を介して接続されていることを特徴とする積層型表示装置。
【請求項２】
３つ以上の表示パネルが積層された積層型表示装置であって、
基板上に、電極を含む表示素子と、該表示素子の電極に接続する引出配線がそれぞれ形成されている３つ以上の表示パネルと、
絶縁基材の両面に配線回路が形成された配線部材とを含み、
前記積層された各表示パネルが、互いの表示素子の間が絶縁状態で離間するように配置されており、
最も外側に配置されている２つの表示パネルが、互いの表示素子及び引出配線が形成されている面が対向するとともに、該２つの表示パネルの各引出配線が、該２つの表示パネルの間に配置されている中間の表示パネルの一端部より突出するように配置されており、
前記配線部材が、前記最も外側に配置されている２つの表示パネルの互いの引出配線の間に配置されているとともに、該配線部材の配線回路が、前記最も外側に配置されている２つの表示パネルの引出配線とそれぞれ導電性材料を介して接続されており、前記中間の表示パネルは、該表示パネルの引出配線の一端部が、該引出配線より突出し、他の表示パネルを介さずに対向する別の表示パネルの引出配線と導電性材料を介して接続されていることを特徴とする積層型表示装置。
【請求項３】
前記配線部材を構成する絶縁基材の厚さ方向に貫通孔が形成されており、該貫通孔を通じて両面の配線回路が接続していることを特徴とする請求項１又は請求項２に記載の積層型表示装置。
【請求項４】
前記３つ以上の表示パネルが積層された積層型表示装置において、最も外側に配置されている２つの表示パネルの少なくとも一方の基板上に、該表示パネルの陽極及び陰極のいずれか一方の電極に関して、該電極に接続する引出配線とは別に該表示パネルの表示素子と絶縁した他の表示パネル用の引出配線が形成されており、前記中間の表示パネルの前記一方の電極に接続する引出配線が、前記他の表示パネル用の引出配線と導電性材料を介して接続されていることを特徴とする請求項２又は請求項３に記載の積層型表示装置。
【請求項５】
前記基板が、可撓性を有するものであることを特徴とする請求項１ないし請求項４のいずれか一項に記載の積層型表示装置。
【請求項６】
前記導電性材料を介して接続されている部分が圧着されていることを特徴とする請求項１ないし請求項５のいずれか一項に記載の積層型表示装置。
【請求項７】
前記積層型表示装置が、パッシブマトリクス型であることを特徴とする請求項１ないし請求項６のいずれか一項に記載の積層型表示装置。
【請求項８】
前記各表示パネルが、互いの表示素子が重なり合うように積層されていることを特徴とする請求項１ないし請求項７のいずれか一項に記載の積層型表示装置。
【請求項９】
前記積層された各表示パネルが、互いの表示素子が重ならずに積層されていることを特徴とする請求項１ないし請求項７のいずれか一項に記載の積層型表示装置。
【請求項１０】
前記表示素子が、有機ＥＬ素子であることを特徴とする請求項１ないし請求項９のいずれか一項に記載の積層型表示装置。
【請求項１１】
前記有機ＥＬ素子の陽極及び陰極が、透明導電膜により形成されていることを特徴とする請求項１０に記載の積層型表示装置。
【発明の詳細な説明】
【技術分野】
【０００１】
本発明は、複数の表示パネルを積層した積層型表示装置に関する。
【背景技術】
【０００２】
近年、薄型の表示装置として、液晶ディスプレイ、プラズマディスプレイ、有機エレクトロルミネッセンス（有機ＥＬ）ディスプレイ等の開発が進んでいる。
【０００３】
このような薄型の表示装置は、基本的に、ガラス等の基板上に表示素子と引出配線を形成した表示パネルを有し、表示素子に電圧を印加して画像表示を行う。そして、カラー表示、両面表示、発光強度の向上等を目的として、複数の表示パネルを積層した積層型表示装置が用いられる場合がある（例えば特許文献１参照）。
【０００４】
積層型表示装置は、表示パネルの積層に伴い、配線部分が増大する。そこで、装置の省スペース化あるいはコンパクト化を目的とした積層型表示装置がいくつか提案されている。例えば、積層した２つの表示パネルの同一辺側にそれぞれ引出配線部を設けるとともに、互いの引出配線部が重ならないようにそれぞれ切り欠き部を設けた両面表示装置が提案されている（例えば特許文献２参照）。しかし、このような両面表示装置では、それぞれの表示パネルに独立した引出配線を設ける必要があり、また、３つ以上の表示パネルを備えた積層型表示装置には対応していない。
【０００５】
３つ以上の表示パネルに対応した積層型表示装置として、複数の表示パネルを各電極の端部が同方向に突出するように積層し、突出した電極端子に配線部材を接続し、駆動回路と接続する１つの表示パネルに前記配線部材を介して他の表示パネルを接続する表示装置が提案されている（特許文献３参照）。この積層型表示装置では、１つの表示パネルに設けた駆動回路により全ての表示パネルを駆動することが可能となる。しかし、全ての表示パネルに配線部材を接続するため、積層する表示パネルの数が多くなると配線が複雑になり、駆動制御も複雑となるおそれがある。
【０００６】
【特許文献１】特開２００１−４２３５３号公報
【特許文献２】特開２００５−２５７８６６号公報
【特許文献３】特開２００２−２９７０５０号公報
【発明の開示】
【発明が解決しようとする課題】
【０００７】
本発明は、複数の表示パネルの引出配線が簡素に接続され、特に３つ以上の表示パネルが積層されている場合でも各表示パネルの電極が１つの配線部材と接続することが可能な積層型表示装置を提供することを目的とする。
【課題を解決するための手段】
【０００８】
上記目的を達成するため、本発明では以下の積層型表示装置が提供される。
＜１＞  ２つの表示パネルが積層された積層型表示装置であって、
基板上に、電極を含む表示素子と、該表示素子の電極に接続する引出配線がそれぞれ形成されている２つの表示パネルと、
絶縁基材の両面に配線回路が形成された配線部材とを含み、
前記２つの表示パネルが、互いの表示素子及び引出配線が形成されている面が対向するとともに、互いの表示素子の間が絶縁状態で離間するように配置されており、
前記配線部材が、前記２つの表示パネルの互いの引出配線の間に配置されているとともに、該配線部材の配線回路が、前記各表示パネルの引出配線とそれぞれ導電性材料を介して接続されていることを特徴とする積層型表示装置。
【０００９】
＜２＞  ３つ以上の表示パネルが積層された積層型表示装置であって、
基板上に、電極を含む表示素子と、該表示素子の電極に接続する引出配線がそれぞれ形成されている３つ以上の表示パネルと、
絶縁基材の両面に配線回路が形成された配線部材とを含み、
前記積層された各表示パネルが、互いの表示素子の間が絶縁状態で離間するように配置されており、
最も外側に配置されている２つの表示パネルが、互いの表示素子及び引出配線が形成されている面が対向するとともに、該２つの表示パネルの各引出配線が、該２つの表示パネルの間に配置されている中間の表示パネルの一端部より突出するように配置されており、
前記配線部材が、前記最も外側に配置されている２つの表示パネルの互いの引出配線の間に配置されているとともに、該配線部材の配線回路が、前記最も外側に配置されている２つの表示パネルの引出配線とそれぞれ導電性材料を介して接続されており、前記中間の表示パネルは、該表示パネルの引出配線の一端部が、該引出配線より突出し、他の表示パネルを介さずに対向する別の表示パネルの引出配線と導電性材料を介して接続されていることを特徴とする積層型表示装置。
【００１０】
＜３＞  前記配線部材を構成する絶縁基材の厚さ方向に貫通孔が形成されており、該貫通孔を通じて両面の配線回路が接続していることを特徴とする＜１＞又は＜２＞に記載の積層型表示装置。
【００１１】
＜４＞  前記３つ以上の表示パネルが積層された積層型表示装置において、最も外側に配置されている２つの表示パネルの少なくとも一方の基板上に、該表示パネルの陽極及び陰極のいずれか一方の電極に関して、該電極に接続する引出配線とは別に該表示パネルの表示素子と絶縁した他の表示パネル用の引出配線が形成されており、前記中間の表示パネルの前記一方の電極に接続する引出配線が、前記他の表示パネル用の引出配線と導電性材料を介して接続されていることを特徴とする＜２＞又は＜３＞に記載の積層型表示装置。
【００１２】
＜５＞  前記基板が、可撓性を有するものであることを特徴とする＜１＞ないし＜４＞のいずれかに記載の積層型表示装置。
【００１３】
＜６＞  前記導電性材料を介して接続されている部分が圧着されていることを特徴とする＜１＞ないし＜５＞のいずれかに記載の積層型表示装置。
【００１４】
＜７＞  前記積層型表示装置が、パッシブマトリクス型であることを特徴とする＜１＞ないし＜６＞のいずれかに記載の積層型表示装置。
【００１５】
＜８＞  前記各表示パネルが、互いの表示素子が重なり合うように積層されていることを特徴とする＜１＞ないし＜７＞のいずれかに記載の積層型表示装置。
【００１６】
＜９＞  前記積層された各表示パネルが、互いの表示素子が重ならずに積層されていることを特徴とする＜１＞ないし＜７＞のいずれかに記載の積層型表示装置。
【００１７】
＜１０＞  前記表示素子が、有機ＥＬ素子であることを特徴とする＜１＞ないし＜９＞のいずれかに記載の積層型表示装置。
【００１８】
＜１１＞  前記有機ＥＬ素子の陽極及び陰極が、透明導電膜により形成されていることを特徴とする＜１０＞に記載の積層型表示装置。
【発明の効果】
【００１９】
本発明によれば、複数の表示パネルの引出配線が簡素に接続され、特に３つ以上の表示パネルが積層されている場合でも各表示パネルの電極が１つの配線部材と接続することが可能な積層型表示装置が提供される。
【発明を実施するための最良の形態】
【００２０】
以下、添付の図面を参照しながら、本発明の好適な態様として、有機ＥＬ表示パネルを積層した積層型表示装置について具体的に説明する。
【００２１】
図１は、本発明に係る積層型表示装置に用いることができる表示パネルの構成の一例を示している。この表示パネル１は、基板２上に、有機ＥＬ素子として、陽極３、正孔輸送層４、発光層５、電子輸送層６、陰極７等が形成されている。各電極３，７の端部は引出配線９となっており、引出配線９を介して駆動回路に接続される。両極３，７に電界を印加することにより、両極３，７間に挟まれた有機ＥＬ層８（正孔輸送層４、発光層５、及び電子輸送層６）が発光する。
【００２２】
基板２は、有機ＥＬ表示装置に使用される公知の基板であれば特に限定されず、ガラス基板、樹脂基板等の透明又は半透明の基板のほか、金属等からなる不透明基板も使用することができる。本発明に係る積層型表示装置では、上記のような構成の表示パネル１を少なくとも２つ積層するが、例えば、両面表示装置とする場合には、最も外側に配置される２つの表示パネルの基板を透明基板とすればよいし、片面表示装置とする場合には、片側の表示パネルの基板は金属等の不透明基板とすることができる。なお、金属製の基板を用いる場合には、電気絶縁性を確保するための絶縁層を設ける。また、積層型表示装置に可撓性を持たせる場合には、樹脂やステンレス等の可撓性を有する基板を用いる。
【００２３】
フィルム状の樹脂基板を採用する場合には、例えばポリエチレンテレフタレート、ポリブチレンフタレート、ポリエチレンナフタレート等のポリエステル、ポリスチレン、ポリカーボネート、ポリエーテルスルホン、ポリアリレート、ポリイミド、ポリシクロオレフィン、ノルボルネン樹脂、ポリ（クロロトリフルオロエチレン）等の樹脂基板を好ましく用いることができる。
また、このような樹脂基板には、水分や酸素の透過を防止するためのガスバリア層、有機ＥＬ素子の傷付きを防止するためのハードコート層、基板の平坦性や陽極との密着性を向上するためのアンダーコート層等を適宜備えることも可能である。
【００２４】
基板２上に形成する有機ＥＬ素子も特に限定されるものではなく、例えば、真空蒸着によりガラス等の基板２上にＩＴＯ等の陽極３を形成した後、絶縁膜や隔壁（図示せず）を形成する。次いで、正孔輸送層４、発光層５、電子輸送層６等の有機ＥＬ層８を順次真空蒸着により成膜し、さらにＡｌ、ＭｇＡｇ等の陰極７を成膜することで有機ＥＬ素子を形成することができる。なお、例えば、両面表示装置とする場合には、陽極３及び陰極７はＩＴＯ等の透明導電膜により形成する。
【００２５】
引出配線９は有機ＥＬ素子の各電極３，７に接続するように形成され、有機ＥＬ素子は引出配線９を介して駆動制御を行う駆動回路と接続される。引出配線９は、図１に示されるように各電極３，７と同じ材料により各電極３，７から延長するように形成することができる。なお、各電極３，７とは別に、例えばＡｕ、Ｃｒ、Ａｌ、Ｃｕ等の比抵抗率が低く、化学的に安定な材料により引出配線を形成してもよい。
【００２６】
次に、上記のような表示パネルを積層させた本発明に係る積層型表示装置の具体例について説明する。
図２は、本発明に係る積層型表示装置を構成する表示パネルの引出配線の接続の仕方の一例を概略的に示している。この積層型表示装置１１は、２つの表示パネル（第１の表示パネル１０及び第２の表示パネル２０）が積層されている。各表示パネル１０，２０は、基板１２，２２上に有機ＥＬ素子が設けられており、引出配線１４，２４とつながる陽極上に有機ＥＬ層１６，２６が形成されている。なお、図１で説明したように、有機ＥＬ層の上下に配置される電極（引出配線）を含めて有機ＥＬ素子（表示素子）が構成されるが、図２等では、便宜上、有機ＥＬ層１６，２６の部分を表示素子として説明する。
【００２７】
２つの表示パネル１０，２０は、互いの有機ＥＬ層１６，２６と電極を含む有機ＥＬ層素子及び引出配線１４，２４が形成されている面（素子形成面）が対向するとともに、互いの表示素子１６，２６が絶縁層１８を介して絶縁状態で離間するように配置されている。２つの表示パネル１０，２０の互いの引出配線１４，２４の間には配線部材１３が配置されている。この配線部材１３は、絶縁基材１５の両面に配線回路１７ａ，１７ｂが形成されている。そして、配線部材１３の配線回路１７ａ，１７ｂが互いの表示パネル１０，２０の引出配線１４，２４とそれぞれ導電性材料（導電パッド）１９ａ，１９ｂを介して接続されている。このような構成により、第１及び第２の表示パネル１０，２０を、それぞれ配線部材１３の配線回路１７ａ，１７ｂを介して独立に駆動制御することができる。
なお、各表示パネル１０，２０のサイズ、引出配線１４，２４の長さ等は特に限定されず、例えば、各表示パネル１０，２０及び引出配線１４，２４は同じサイズ（長さ）でも良いし、一方の表示パネルが突出していてもよい。
【００２８】
各表示パネルの表示素子１６，２６を絶縁状態に離間するための絶縁層１８は、公知の絶縁材料、例えば、アクリル樹脂、ポリイミド樹脂、フッ素樹脂等を用いることができる。なお、絶縁層１８は、各表示パネル１０，２０を積層する際に表示パネル１０，２０間に設けてもよいし、積層する表示パネル１０，２０のいずれか一方あるいは両方に保護層として予め形成しておいてもよい。
【００２９】
また、引出配線１４，２４と配線部材１３の配線回路１７ａ，１７ｂを接続するための導電性材料１９ａ，１９ｂとしては、電気的に接続することができるものであれば特に限定されず、公知の導電性材料、例えば、ＡＣＦ（異方性導電膜）、ＡＣＰ（異方性導電ペースト）、半田等を用いることができる。
【００３０】
図３は、３つの表示パネルを積層した積層型表示装置の一例を示している。この積層型表示装置３１では、外側に位置する第１の表示パネル１０と第２の表示パネル２０との間に、中間の表示パネルとして第３の表示パネル３０が配置されている。第２及び第３の表示パネル２０，３０は、それらの表示素子２６，３６及び引出配線２４，３４が形成されている面（素子形成面）が第１の表示パネル１０の素子形成面と対向するように同じ方向に向けられている。また、第１及び第２の表示パネル１０，２０の各引出配線１４，２４は、ともに第３の表示パネル３０の一端部より突出するように配置されている。
【００３１】
そして、第１及び第３の表示パネル１０，３０は、それぞれの表示素子１６，３６の間が絶縁層２９を介して絶縁状態で離間しているとともに、第３の表示パネル３０の引出配線３４の一端部が、対向する第１の表示パネル１０の引出配線１４と導電性材料５３を介して接続されている。なお、本発明における引出配線の一端部とは、末端部分に限定されず、図３に示されるように、有機ＥＬ層３４の外側に位置する部分であれば末端を含まない内側の部分で接続してもよいし、末端を含む部分で接続してもよい。
一方、第１及び第２の表示パネル１０，２０は、それぞれの表示素子１６，２６の間が絶縁層２９及び第３の表示パネル３０を構成する基板３２を介して絶縁状態で離間している。また、第１及び第２の表示パネル１０，２０の引出配線１４，２４は、配線部材１３の配線回路１７ａ，１７ｂとそれぞれ導電性材料（導電パッド）１９ａ，１９ｂを介して直線的に接続されている。このような構成により、第１及び第２の表示パネル１０，２０の引出配線１４，２４が簡素に、かつ、高い強度で接続されるとともに、それぞれ配線部材１３の配線回路１７ａ，１７ｂを介して独立に駆動制御することができる。また、第３の表示パネル３０は第１の表示パネル１０と導電性材料５３を介して接続されているため、同電位となり、配線回路１７ａを通じて駆動制御することができる。
【００３２】
図４は、図３に示した積層された各表示パネル１０，２０，３０において、導電性材料１９ａ，１９ｂ，５３を介して接続されている部分を圧着した状態を示している。本発明では、導電性材料１９ａ，１９ｂ，５３を介して接続する部分は必ずしも圧着されている必要はないが、特に、各表示パネル１０，２０，３０を構成する基板１２，２２，３２として、樹脂、ステンレス等からなる可撓性を有する基板を採用する場合には、各基板１２，２２，３２の端部が湾曲して容易に圧着することができる。このように第１及び第２の表示パネル１０，２０の各引出配線１４，２４と配線部材１３との間、さらに引出配線同士１４，３４を圧着すれば、より確実に、かつ、より高い強度で接続することができる。なお、圧着する場合には、導電性材料は、ＡＣＰ、ＡＣＦ等の導電性接着剤を好適に用いることができる。
【００３３】
図５に示す積層型表示装置５１では、各表示パネル１０，２０，３０の表示素子１６，２６，３６が、絶縁層５２及び第３の表示パネル３０を構成する基板３２を介して絶縁状態で離間しており、中間に位置する第３の表示パネル３０の引出配線３４の一端部が、対向する第２の表示パネル２０の引出配線２４と導電性材料５４を介して接続されている。
そして、外側で突出する第１及び第２の表示パネル１０，２０の引出配線１４，２４は、配線部材１３の配線回路１７ａ，１７ｂとそれぞれ導電性材料（導電パッド）１９ａ，１９ｂを介して接続されている。このような構成により、第１及び第２の表示パネル１０，２０を、それぞれ配線部材１３の配線回路１７ａ，１７ｂを介して独立に駆動制御することができる。また、第３の表示パネル３０は第２の表示パネル２０と導電性材料５４を介して接続されているため、同電位となり、配線回路１７ｂを通じて駆動制御することができる。すなわち、全ての表示パネルの引出配線が１つの配線部材１３に電気的に接続されており、配線が簡素化されるとともに駆動制御を容易に行うことができる。
【００３４】
本発明に係る積層型表示装置は、積層する表示パネルの数は限定されず、４つ以上の表示パネルを積層したものとすることもできる。
図６に示される積層型表示装置６１は、第１及び第２の表示パネル１０，２０が最も外側で互いに突出するとともに、互いの素子形成面が対向するように配置されている。また、これらの表示パネル１０，２０の間に、中間の表示パネルとして、第３及び第４の表示パネル３０，４０が、それぞれの素子形成面が第１の表示パネル１０の素子形成面に対向するように同じ方向に向けられているとともに、段階的に配置されている。各表示パネルの表示素子１６，２６，３６，４６の間は、絶縁層６２と、第３及び第４の表示パネル３０，４０を構成する基板３２，４２を介して絶縁状態で離間している。
【００３５】
一方、第３及び第４の表示パネル３０，４０の各引出配線の一端部は、それぞれ他の表示パネルを介さずに対向する第１の表示パネル１０の引出配線１４とそれぞれ導電性材料６６，６４を介して接続されている。また、第１及び第２の表示パネルの引出配線１４，２４は、配線部材１３の配線回路１７ａ，１７ｂとそれぞれ導電性材料（導電パッド）１９ａ，１９ｂを介して接続されている。このような構成により、第１及び第２の表示パネル１０，２０を、それぞれ配線部材１３の配線回路１７ａ，１７ｂを介して独立に駆動制御することができる。また、第３及び第４の表示パネル３０，４０の各引出配線３４，４４は、第１の表示パネル１０の引出配線１４とそれぞれ導電性材料６６，６４を介して接続されているため、同電位となり、配線回路１７ａを通じて駆動制御することができる。この場合も、全ての表示パネルの引出配線が１つの配線部材１３と電気的に接続され、配線が簡素化されるとともに駆動制御を容易に行うことができる。
【００３６】
図７に示される積層型表示装置７１では、最も外側で突出する第１の表示パネル１０と第２の表示パネル２０との間に、第３及び第４の表示パネル３０，４０が配置されている。各表示パネル１０，２０，３０，４０の表示素子１６，２６，３６，４６の間は、絶縁層７２と、第３及び第４の表示パネル３０，４０をそれぞれ構成する基板３２，４２を介して絶縁状態で離間している。そして、第４の表示パネル４０の引出配線４４の端部は、該引出配線４４と対向し、かつ、該引出配線４４より突出するように配置された第３の表示パネル３０の引出配線３４と導電性材料７４を介して接続されている。また、第３の表示パネル３０の引出配線３４の一端部は、第４の表示パネル４０を介さずに第１の表示パネル１０の引出配線１４と対向（対面）しており、導電性材料７６を介して接続されている。さらに、第１及び第２の表示パネルの各引出配線１４，２４は、配線部材１３の配線回路１７ａ，１７ｂとそれぞれ導電性材料（導電パッド）１９ａ，１９ｂを通じて接続されている。このような構成により、第１及び第２の表示パネル１０，２０を、それぞれ配線部材１３の配線回路１７ａ，１７ｂを通じて独立に駆動制御することができ、さらに、第３及び第４の表示パネル３０，４０は第１の表示パネル１０とそれぞれ導電性材料７６，７４を介して直接又は間接的に接続されているため、同電位となり、配線回路１７ａを通じて駆動制御することができる。
【００３７】
上記の各例では、外側に位置する各表示パネル１０，２０を配線部材１３の各面に形成された配線回路１７ａ，１７ｂにより別々に駆動制御することができるが、例えば、図８に示すような配線部材２３を用いることで共通に制御することができる。この配線部材２３は、絶縁基材２５の厚さ方向に貫通孔２１が形成されており、該貫通孔２１を通じて両面の配線回路２７ａ，２７ｂが接続している。貫通孔２１の形状、位置、大きさ、数等は、両面の配線回路２７ａ，２７ｂが接続することができれば特に限定されない。第１及び第２の表示パネルの引出配線１４，２４が、配線部材２３の配線回路２７ａ，２７ｂとそれぞれ導電性材料（導電パッド）１９ａ，１９ｂを介して接続されていれば、各表示パネル１０，２０の引出配線１４，２４が同電位となり、共通して駆動制御することができる。図３〜図７に示したような３つ以上の表示パネルが積層されている場合でも、上記のような配線部材２３を用いることで、全ての表示パネルを共通して駆動制御することができる。
【００３８】
上記のように、本発明に係る積層型表示装置は、最も外側に配置されている２つの表示パネルが、互いの表示素子及び引出配線が形成されている面が対向して配置されるとともに、互いの引出配線が、これらの表示パネルの間に配置された配線部材の配線回路とそれぞれ導電性材料を介して接続されている。また、３つ以上の表示パネルが積層されている場合には、中間の表示パネルは、該表示パネルの引出配線の一端部が、該引出配線より突出し、他の表示パネルを介さずに対向する別の表示パネルの引出配線と導電性材料を介して接続されている。なお、いずれの例でも、導電性材料を介して接続されている部分が圧着されることが好ましい。特に、可撓性を有する基板を用いた表示パネルを積層する場合には、導電性材料を介して接続されている部分を容易に圧着することができ、それにより確実に接続することができる。このような積層型表示装置であれば、各表示パネルの引出配線が１つの配線部材と直接又は間接的に簡素に接続されており、駆動制御が容易となる。また、製造も容易となり、コストを低く抑えることができる。
【００３９】
上記の図２〜８では、各表示パネルの陽極側の引出配線が接続されている場合について説明したが、本発明では、陽極及び陰極の少なくとも一方の引出配線（電極）が上記のように１つの配線部材に接続されていれば、配線が簡素化され、製造及び駆動制御が容易となる。以下、フルカラー表示が可能なパッシブマトリクス型の積層型表示装置についてより具体的に説明する。
図９〜図１５は、３つの表示パネルを用いた本発明に係る積層型表示装置を製造する手順を示している。
図９は、レッド（Ｒ）用の表示パネル９０（以下「Ｒ表示パネル」という）を示している。フィルム状の樹脂基板９１（フィルム基板）上には、ＩＴＯからなる透明な陽極が所定の間隔で形成され、陽極上にレッド用の有機ＥＬ層９３が形成されている。さらに、有機ＥＬ層９３上には、それと直交する方向にＩＴＯからなる透明な陰極９２が形成されており、さらに有機ＥＬ素子を保護するための絶縁層９８が形成されている。各電極は、それぞれＩＴＯ端子部（引出配線）９５，９４と接続している。さらに、基板９１上には、Ｒ表示パネル９０の表示素子９３と接続する引出配線９４，９５とは別に、Ｒ表示パネル９０の表示素子９３と絶縁した引出配線９６が所定の間隔で形成されている。これらの引出配線９６は、後述の他の表示パネル１００の引出配線（陽極端子）１０５と接続される。
【００４０】
図１０は、グリーン（Ｇ）用の表示パネル１００（以下「Ｇ表示パネル」という）を示している。フィルム基板１０１上には、ＩＴＯからなる透明な陽極が形成され、陽極上にはグリーン用の有機ＥＬ層１０３が形成されている。また、有機ＥＬ層１０３上には、それと直交する方向にＩＴＯからなる透明な陰極１０２が形成され、さらに絶縁層１０８が形成されている。また、各電極には、Ｒ表示パネル９０と同様、ＩＴＯ端子部（引出配線）１０５，１０４がそれぞれ接続されている。
【００４１】
図１１は、Ｒ表示パネル９０とＧ表示パネル１００を、各引出配線を同じ方向に向けて積層した状態を示している。図１０（ａ）に示したＧ表示パネル１００を裏返して、Ｇ表示パネル１００の素子形成面（表示素子１０３及び引出配線１０４，１０５）が、Ｒ表示パネル９０の素子形成面（表示素子９３及び引出配線９４，９５）と対向するように積層されている。Ｒ表示パネル９０の陽極用の引出配線９５，９６の端部は、Ｇ表示パネル１００より突出している。そして、Ｇ表示パネル１００の陽極用の引出配線（陽極端子）１０５は、Ｒ表示パネル９０の基板９１上に予め形成された引出配線（陽極端子）９６と導電性材料を介して圧着される。
【００４２】
図１２は、ブルー（Ｂ）用の表示パネル１１０（以下「Ｂ表示パネル」という）を示している。フィルム基板１１１上には、ＩＴＯからなる透明な陽極が形成されている。陽極上にはブルー用の有機ＥＬ層１１３が形成されている。また、Ｒ表示パネル９０と同様、ＩＴＯからなる透明な陰極１１２と絶縁層１１８が順次積層するように形成されており、各電極には、それぞれＩＴＯ端子部（引出配線）１１５，１１４が接続している。
【００４３】
図１３〜図１５は、図１１に示すＲ表示パネル９０とＧ表示パネル１００を積層したものに、各表示パネル９０，１００，１１０の各表示素子９３，１０３，１１３が重ならずにさらにＢ表示パネル１１０を積層した積層型表示装置１２０を示している。図１２（ａ）に示したＢ表示パネル１１０を裏返して、表示素子１１３及び引出配線１１４，１１５が形成されている面が、それぞれＲ表示パネル９０の表示素子９３及び引出配線９４，９５が形成されている面と対向するように積層されている。Ｂ表示パネル１１０の各引出配線１１４，１１５は、Ｒ表示パネル９０と同様、中間のＧ表示パネル１００より突出している。そして、図１４に示されるように、Ｂ表示パネル１１０の陽極用の引出配線の一端部（陽極端子）１１５は、導電性材料を介して配線部材１３２の配線回路と接続されている。配線部材１３２には貫通孔が形成されており、Ｂ表示パネル１１０の引出配線１１５はＲ表示パネル９０側の配線回路と電気的に接続している。また、Ｒ表示パネル９０の表示素子９３と接続する引出配線９５及び中間のＧ表示パネル１００の表示素子１０３と接続している引出配線９６も、同じ配線部材１３２の別の配線回路とそれぞれ導電性材料を介して独立して接続される。このような接続により、各表示パネル９０，１００，１１０の陽極用の引出配線９５，１０５，１１５をドライバ（不図示）と同じ面側に引き出すことができ、各表示パネル９０，１００，１１０の陽極を容易にドライバによって独立して制御することができる。
【００４４】
一方、図１５は、各表示パネル９０，１００，１１０の陰極用の引出配線（陰極端子）の位置関係と接続状態を示している。図１５に示されるように、中間のＧ表示パネル１００の引出配線１０４の一端部は、対向するＲ表示パネル９０の引出配線９４と導電性材料１３４を介して圧着されている。一方、外側のＲ表示パネル９０の引出配線９４とＢ表示パネル１１０の引出配線１１４は、それらの間に配置されている配線部材１３３の配線回路１３６ａ，１３６ｂとそれぞれ導電性材料１３５ａ，１３５ｂを介して接続されている。また、配線部材１３３の両側の配線回路１３６ａ，１３６ｂは貫通孔１３７を通じて接続されている。このような接続により、配線部材１３３の配線回路１３６ａ，１３６ｂのうち片側の回路を通じて全ての表示パネル９０，１００，１１０の陰極を共通化して制御することができる。
【００４５】
そして、上記のような接続により、各表示パネルの表示素子９３，１０３，１１３の駆動を独立して制御することが可能なパッシブマトリクス型の積層型表示装置１２０となる。このようなパッシブマトリクス型の積層型表示装置１２０であれば、各表示パネル９０，１００，１１０は、各電極においてそれぞれ１つの配線部材１３２，１３３と接続され、配線の接続が簡素化されるとともに、駆動制御が容易となる。また、低コストで製造することができる。
【００４６】
上記の積層型表示装置１２０では、３つの表示パネルの表示素子９３，１０３，１１３が重ならずに積層されているが、各表示パネルの表示素子が重なり合うように積層することもできる。
図１６は、レッド（Ｒ）、グリーン（Ｇ）、ブルー（Ｂ）の各表示素子を形成する場合のそれぞれの陽極（ＩＴＯ）パターンの一例を示している。各基板１４８，１５８，１６８上には、陽極パターン１４１、１５１，１６１が重なるように形成されており、さらに、陽極用の引出配線１４２，１５２，１６２と、陰極用の引出配線１４５，１５５，１６５がそれぞれ形成されている。また、Ｒ表示パネルの基板１４８上には、Ｇ表示パネル用の引出配線１４３も形成されている。
【００４７】
次いで、図１７に示すように、各陽極１４１，１５１，１６１上には、それぞれ対応した色の有機ＥＬ層１４６，１５６，１６６が形成され、さらに、陽極と直交する方向に陰極１４７，１５７，１６７が形成される。Ｇ表示パネル１５０とＢ表示パネル１６０をそれぞれ裏返して、図１８〜図２０に示されるように、各表示素子１４６，１５６，１６６が重なり合うようにＲ表示パネル１４０に順次積層する。なお、各表示パネル１４０，１５０，１６０の最外層には絶縁層１４９，１５９，１６９が形成されている。そして、Ｂ表示パネル１６０の陽極用の引出配線１６２は、導電性材料１７２ｂにより配線部材１７１の配線１７３ｂと接続され、配線部材１７１の両面の配線１７３ａ，１７３ｂは貫通孔１７４を通じて接続している。一方、Ｇ表示パネル１５０の陽極用の引出配線１５２は、Ｒ表示パネル１４０上に形成されているＧ表示パネル用の引出配線１４３と導電性材料を介して圧着される。また、Ｒ表示パネル１４０の引出配線１４２，１４３は、Ｂ表示パネル１６０とは反対側において、配線部材１７１の他の配線回路とそれぞれ導電性材料を介して接続される。このような接続により、各表示パネル１４０，１５０，１６０の陽極用の引出配線１４２，１５２，１６２をドライバ（不図示）と同じ面側に引き出すことができ、各表示パネル１４０，１５０，１６０の陽極を容易にドライバによって独立して制御することができる。
【００４８】
また、図２０に示すように、Ｇ表示パネル１５０の陰極用の引出配線１５５は、対向するＲ表示パネル１４０の引出配線１４５と導電性材料１７５を介して接続され、外側のＲ表示パネル１４０とＢ表示パネル１６０の各陰極用の引出配線１４５，１６５は、それぞれ導電性材料１７６ａ，１７６ｂを介して配線部材１７８の配線回路１７７ａ，１７７ｂと接続され、これらの配線回路１７７ａ，１７７ｂは貫通孔１７９を通じて接続している。このような接続により、配線部材１７８の片側の配線回路を通じて全ての表示パネル１４０，１５０，１６０の陰極を共通化して制御することができる。
【００４９】
この積層型表示装置１７０でも、各表示パネル１４０，１５０，１６０の駆動を配線部材１７１，１７８を介して独立して制御することでき、また、各表示パネル１４０，１５０，１６０の表示素子１４６，１５６，１６６が重なり合うように積層されているため、高精細の表示が可能である。
【００５０】
本発明に係る積層型表示装置は、他の方法により製造することもできる。
例えば、図２１に示すように、１枚の基板１８１上に、ＲとＢに対応した有機ＥＬ素子１８２，１８３と、これらの２色（ＲＢ）の素子に対応した引出配線１８４，１８５をそれぞれ形成した表示パネル（ＲＢ表示パネル）１８０を作製する。一方、図２２に示すように他の基板１９１上にＧに対応した素子１９２を有するＧ表示パネル１９０を作製する。ＲＧ表示パネル１８０とＧ表示パネル１９０を、それぞれの素子形成面が対向するとともに、それぞれの表示素子１８２，１８３，１９２が同じ方向に向くように重ね合わせる。そして、Ｇ表示パネル１９０の陰極用の引出配線１９７と、ＲＧ表示パネル１８０の対応する引出配線１８７とを、例えば図８に示すような両面の配線が接続した配線部材２３の配線回路２７ａ，２７ｂとそれぞれ接続する。一方、ＲＧ表示パネル１８０とＧ表示パネル１９０の各陽極用の引出配線（陽極端子）１８４，１８５，１９６は、例えば図１９と同様にして陽極用の配線部材と接続する。このような接続により、ＲＢ表示パネル１８０の陽極用の引出配線１８４，１８５と、Ｇ表示パネル１９０の陽極用の引出配線（陽極端子）１９６とを配線部材の同じ側の配線回路に接続することができ、ドライバとの接続も容易となり、各表示素子１８２，１８３，１９２を独立して制御することができる。
【００５１】
本発明は、有機ＥＬ素子の陽極及び陰極が透明導電膜により形成されている場合に限らず、不透明な電極を用いる場合にも適用することができる。
図２３は、不透明な陰極を用いた積層型表示装置の一例を示している。各表示パネルにおいて不透明な陰極を用いると、１画素２０９における開口率は多少小さくなるものの、各表示パネルの陰極２０４，２０５，２０６が重ならないように積層することでフルカラー表示が可能である。そして、同方向の隣接する３色の表示素子２０１，２０２，２０３の引出配線２１１，２１２，２１３を、圧着領域２１４において、例えば図１５に示すように片側の配線回路を通じて陰極を共通化して制御することができるように接続する。一方、陽極用の引出配線２１５，２１６，２１７に関しては、例えば図１４と同様に接続する。このような積層型表示装置２００であれば、各表示パネルの引出配線が簡素に接続されており、また、陽極用の引出配線２１５，２１６，２１７は独立して配線部材２０８と接続されているので、各表示パネルの表示素子２０１，２０２，２０３を独立して制御することができる。
【００５２】
以上、本発明について説明したが、本発明は上記実施形態及び実施例に限定されるものではない。例えば、上記実施形態では、パッシブマトリクス型の有機ＥＬ表示装置について説明したが、本発明は、アクティブマトリクス型の積層型表示装置にも適用できるし、表示もフルカラー表示に限らず、例えばエリアカラー表示とすることもできる。また、両面表示装置としてもよいし、片面表示装置としてもよい。
また、上記実施形態では、陰極用の引出配線を共通化して制御する場合について説明したが、接続方法はこれに限定されない。例えば、図１３に示される積層型表示装置１２０において各表示パネル９０，１００，１１０の陰極用の引出配線９４，１０４，１１４を図３に示すように接続して外側の表示パネル９０，１１０の陰極を独立して制御することもできる。
また、図１３に示す表示装置では、図９に示したようにＲ表示パネル９０の陽極側に中間のＧ表示パネル１００の陽極の引出配線と接続する引出配線を設けたが、このような中間の表示パネル用の引出配線は、Ｂ表示パネル１１０の陽極側に設けてもよいし、Ｒ表示パネル９０又はＢ表示パネル１１０の陰極側に設けることもできる。また、４つ以上の表示パネルを積層する場合には、外側の両方の表示パネルの陽極及び陰極のいずれか一方の電極に関して中間の表示パネル用の引出配線を設けることもできる。
さらに、本発明は、有機ＥＬ素子を形成した表示パネルを積層する場合に限定されず、電界の印加により発光するか、光学特性が変化する表示素子、例えば無機ＥＬ素子、液晶表示素子、プラズマ素子、電気泳動素子などを形成した表示パネルを積層する積層型表示装置にも適用することができる。
【図面の簡単な説明】
【００５３】
【図１】有機ＥＬ表示パネルの構成の一例を示す概略図である。
【図２】本発明に係る積層型表示装置の表示パネルの配置と接続状態の一例を示す概略図である。
【図３】本発明に係る積層型表示装置を構成する表示パネルの配置と接続状態の他の例を示す概略図である。
【図４】図３に示す各表示パネルの導電性材料を介して接続されている部分を圧着した状態を示す概略図である。
【図５】本発明に係る積層型表示装置を構成する表示パネルの配置と接続状態のさらに他の例を示す概略図である。
【図６】本発明に係る積層型表示装置を構成する表示パネルの配置と接続状態のさらに他の例を示す概略図である。
【図７】本発明に係る積層型表示装置を構成する表示パネルの配置と接続状態のさらに他の例を示す概略図である。
【図８】本発明に係る積層型表示装置を構成する表示パネルの配置と接続状態のさらに他の例を示す概略図である。
【図９】本発明に係る積層型表示装置を構成するＲ表示パネルの一例を示す概略図である。（ａ）平面図  （ｂ）Ａ−Ａ´線断面図
【図１０】本発明に係る積層型表示装置を構成するＧ表示パネルの一例を示す概略図である。（ａ）平面図  （ｂ）Ｂ−Ｂ´線断面図
【図１１】Ｒ表示パネルとＧ表示パネルを積層した状態を示す概略図である。（ａ）平面図  （ｂ）Ｃ−Ｃ´線断面図
【図１２】本発明に係る積層型表示装置を構成するＢ表示パネルの一例を示す概略図である。（ａ）平面図  （ｂ）Ｄ−Ｄ´線断面図
【図１３】ＲＧＢの各表示パネルを積層した積層型表示装置を示す概略平面図である。
【図１４】図１３に示す積層したＲＧＢの各表示パネルのＥ−Ｅ´線断面を示す概略図である。
【図１５】図１３に示す積層したＲＧＢの各表示パネルのＦ−Ｆ´線断面を示す概略図である。
【図１６】各表示パネルの陽極パターンの一例を示す概略図である。（ａ）Ｒ表示パネル  （ｂ）Ｇ表示パネル  （ｃ）Ｂ表示パネル
【図１７】表示素子と陰極を形成した各表示パネルを示す概略図である。（ａ）Ｒ表示パネル  （ｂ）Ｇ表示パネル  （ｃ）Ｂ表示パネル
【図１８】ＲＧＢの各表示パネルを各表示素子が重なるように積層した積層表示パネルを示す概略図である。
【図１９】図１８に示すＧ−Ｇ´線断面を示す図である。
【図２０】図１８に示すＨ−Ｈ´線断面を示す図である。
【図２１】１枚の基板上にＲＢの各表示素子を形成した表示パネルを示す概略平面図である。
【図２２】図２１の表示パネルに積層するＧ表示素子を形成した表示パネルを示す概略平面図である。
【図２３】不透明な陰極を用いた積層型表示装置の一例を示す概略平面図である。
【符号の説明】
【００５４】
１・・・有機ＥＬ表示パネル
２・・・基板
３・・・陽極
７・・・陰極
８・・・有機ＥＬ層
９・・・引出配線
１０，２０，３０，４０・・・表示パネル
１１，３１，５１，６１，７１・・・積層型表示装置
１２，２２，３２，４２・・・基板
１３，２３・・・配線部材
１４，２４，３４，４４・・・引出配線（電極）
１６，２６，３６，４６・・・有機ＥＬ層
１７ａ，１７ｂ，２７ａ，２７ｂ・・・配線回路
１８，２９，５２，６２，７２・・・絶縁層
１９ａ，１９ｂ，５３，５４，６４，６６，７４，７６・・・導電性材料
９０・・・Ｒ表示パネル
１００・・・Ｇ表示パネル
１１０・・・Ｂ表示パネル
１２０・・・積層型表示装置（パッシブマトリックス型）
【図１】
2008108616.tif 000003
【図２】
2008108616.tif 000004
【図３】
2008108616.tif 000005
【図４】
2008108616.tif 000006
【図５】
2008108616.tif 000007
【図６】
2008108616.tif 000008
【図７】
2008108616.tif 000009
【図８】
2008108616.tif 000010
【図９】
2008108616.tif 000011
【図１０】
2008108616.tif 000012
【図１１】
2008108616.tif 000013
【図１２】
2008108616.tif 000014
【図１３】
2008108616.tif 000015
【図１４】
2008108616.tif 000016
【図１５】
2008108616.tif 000017
【図１６】
2008108616.tif 000018
【図１７】
2008108616.tif 000019
【図１８】
2008108616.tif 000020
【図１９】
2008108616.tif 000021
【図２０】
2008108616.tif 000022
【図２１】
2008108616.tif 000023
【図２２】
2008108616.tif 000024
【図２３】
2008108616.tif 000025